【手続補正書】
【提出日】平成18年11月7日(2006.11.7)
【手続補正１】
【補正対象書類名】明細書
【補正対象項目名】特許請求の範囲
【補正方法】変更
【補正の内容】
【特許請求の範囲】
【請求項１】  シャーシと弾性側部パネルとを備えたパンツであって、
該パンツは前後端部を有しており、
前記シャーシは、長さと幅及び前後端部とを有しており、
前記弾性側部パネルは、幅と長さを有し、前記シャーシに隣接して該シャーシの前記後端部の方に向かうようになっており、前記弾性側部パネルの幅は、前記シャーシの前記後ろ幅の少なくとも約30パーセントとなっていることを特徴とするパンツ。
【請求項２】  前記弾性側部パネルは弾性要素を備え、該弾性要素は、前記側部パネルの長さにたいしほぼ横方向に配置されており、前記側部パネルは、少なくとも２つの弾性取付けゾーンを備えていることを特徴とする請求項１に記載のパンツ。
【請求項３】  再取付け可能な弾性側部パネルを備えた、約30インチ（762mm）から約43インチ(1092mm)のヒップサイズを有する個々の身体にフィットできる成人失禁用製品であって、前記側部パネルは長さと幅を有しており、前記失禁用製品は長さと幅を有し、前記弾性側部パネルの長さは少なくとも約3インチ(76mm)であり、前記弾性側部パネルの幅は少なくとも約7インチ(178mm)であることを特徴とする成人失禁用製品。
【請求項４】  前記弾性側部パネルは、該パネルを結合するための手段を備えていることを特徴とする請求項３に記載の製品。
【請求項５】  前記弾性側部パネルは弾性要素を備え、該弾性要素は、前記側部パネルの長さにたいしほぼ横方向に配置されており、前記側部パネルは、少なくとも２つの弱弾性ゾーンを備えていることを特徴とする請求項３に記載のパンツ。
【請求項６】  前記弾性側部パネルは少なくとも２つの閉鎖手段を有しており、該閉鎖手段は、脚部引張とウエスト引張とが別個に調整されるように前記パンツの引張力を調整する手段をするものであることを特徴とする請求項３に記載のパンツ。
【請求項７】  再取付け可能な弾性側部パネルを備えた、約40インチ（1016mm）から約57インチ(1448mm)のヒップサイズを有する個々の身体にフィットできる成人失禁用製品であって、
前記側部パネルは長さと幅を有しており、前記失禁用製品は長さと幅を有し、前記弾性側部パネルの長さは少なくとも約3インチ(76mm)であり、前記弾性側部パネルの幅は少なくとも約7インチ(178mm)であることを特徴とする成人失禁用製品。
【請求項８】  前記弾性側部パネルは、該パネルを結合するための手段を備えていることを特徴とする請求項７に記載の製品。
【請求項９】  外側ライナーと、内側ライナー及び弾性側部パネルとからなる結合可能なパンツであって、該パンツは、前後端部と、長さと幅とを有しており、前記弾性側部パネルの全体の幅が、前記パンツの前記後部の幅の少なくとも約60％からなることを特徴とする結合可能パンツ。
【請求項１０】  前記弾性側部パネルを取り外し可能に結合するための手段を備え、前記パンツの前側が前記弾性側部パネルの前記取り外し可能結合手段を受け入れるための手段を備えていることを特徴とする請求項９に記載のパンツ。
【請求項１１】  前記側部パネルの長さにたいしほぼ横方向に配置された弾性要素を備え、前記側部パネルは少なくとも２つの弾性取付けゾーンを備えていることを特徴とする請求項１０に記載のパンツ。
【請求項１２】  シャーシと、弾性側部パネルと、前部パネルとからなるパンツであって、
該パンツは前後端部及び長さと幅を有しており、前記前部パネルは長さと幅を有し、前記弾性側部パネルは長さと幅を有しており、前記シャーシは体側ライナーと、サージ層と、吸収性コアと、有孔性コアラップ及び外側ライナーとからなり、該外側ライナーと前記体側ライナーは、前記サージラップと吸収性コアとを包むようになっており、前記シャーシは、さらにカフスと、股弾性部とウエストバンドとを備えており、前記弾性側部パネルが前記シャーシに隣接して配置されて、これに固定されるようになっており、前記弾性側部パネルの幅は、前記シャーシの幅の少なくとも約50％であり、閉鎖装置が前記弾性パネルに配置され、閉鎖装置が前記前部パネルに配置されており、前記前部パネル上に配置された前記閉鎖装置は前記弾性パネル上に配置された前記閉鎖装置に接合できるようになっていることを特徴とするパンツ。
【請求項１３】  前記弾性パネルは前記シャーシの後端部に隣接して配置されていることを特徴とする請求項１２に記載のパンツ。
【請求項１４】  長さと幅を有する本体と、吸収性コアと、外側ライナーと、体側ライナーと、弾性側部パネルと、からなる人体流体を保持するための衣料物品であって、
前記弾性側部パネルは長さと幅とを有し、前記弾性側部パネルの幅は、前記本体の幅の少なくとも約10％であり、前記弾性側部パネルは弾性要素からなり、該弾性要素は前記側部パネルの長さに対しほぼ横方向に延びており、前記側部パネルは、少なくとも２つの弾性取付けゾーンを備えており、該ゾーンは前記パネルのほぼ長さ方向に延びており、そして、前記ゾーンは２つ以上の弾性要素を横切っていることを特徴とする衣料物品。
【請求項１５】  前記弾性側部パネルは前記パネルを前記本体に結合するための手段を備えていることを特徴とする請求項１４に記載の衣料物品。
【請求項１６】  外側層と、吸収性コアと、内側層とからなる衣料物品であって、
該物品は弾性パネルを備え、
前記パネルは、前記物品が着用されると着用者の身体の輪郭の少なくともほぼ約30％のまわりに延びる弾性要素と、前記物品が着用されると着用者の身体の垂直方向の軸線にほぼ沿って延びる複数の弱弾性ゾーンと、を有しており、前記弱弾性ソーンはほぼ均等に間隔をあけて離間して、ほぼ同じ幅であり、前記パネルは前記弱弾性ゾーンの間に配置された活弾性ゾーンを備えていることを特徴とする衣料物品。
【請求項１７】  裏当て部材と、体側ライナーと、吸収性パッド及び弾性パネルとからなる衣料であって、
該衣料は幅と長さとを有しており、前記弾性パネルは幅と長さとを有し、これにより前記弾性パネルの幅は前記衣類の幅に等しいことを特徴とする衣類。
【請求項１８】  約4インチ(102mm)から約10インチ(254mm)のヒップサイズの個々の人体にフィットできる幼児用製品であって、該製品は、
再結合可能な弾性側部パネルを備え、該側部パネルは長さと幅とを有し、前記製品は長さと幅とを有し、前記弾性側部パネルの長さは少なくとも約1.5インチ(38mm)であり、前記弾性側部パネルの幅は少なくとも約1.5インチ(38mm)であることを特徴とする幼児用製品。
【請求項１９】  約10インチ(254mm)から約20インチ(508mm)のヒップサイズの個々の人体にフィットできる幼児用製品であって、該製品は、
再結合可能な弾性側部パネルを備え、該側部パネルは長さと幅とを有し、前記製品長さと幅とを有し、前記弾性側部パネルの長さは少なくとも約1.5インチ(38mm)であり、前記弾性側部パネルの幅は少なくとも約3.25インチ(82.6mm)であることを特徴とする幼児用製品。
【請求項２０】  約20インチ(508mm)から約26インチ(660mm)のヒップサイズの個々の人体にフィットできる製品であって、該製品は、
再結合可能な弾性側部パネルを備え、該側部パネルは長さと幅とを有し、前記製品は長さと幅とを有し、前記弾性側部パネルの長さは少なくとも約1.5インチ(38mm)であり、前記弾性側部パネルの幅は少なくとも約5インチ(127mm)であることを特徴とする製品。
【請求項２１】  約27インチ(686mm)から約39インチ(991mm)のヒップサイズの個々の人体にフィットできる製品であって、該製品は、
再結合可能な弾性側部パネルを備え、該側部パネルは長さと幅とを有し、前記製品は長さと幅とを有し、前記弾性側部パネルの長さは少なくとも約1.5インチ(38mm)であり、前記弾性側部パネルの幅は少なくとも約6.5インチ(161mm)であることを特徴とする製品。